(57)【要約】【課題】通信ネットワークにおけるダウンリンク送信についてユーザターミナルをスケジューリングする方法を提供する。【解決手段】ユーザターミナルがアクティブなモードにある第１のアクティブな周期がサイクルの始めにトリガーされるところのユーザターミナルの不連続受信サイクルの時間巾を決定し、そしてユーザターミナルに対する周期的チャンネルクオリティインジケータレポート間のインターバルを決定することを含む。更に、不連続受信サイクルを、周期的チャンネルクオリティインジケータレポート間のインターバルと整列させ、各不連続受信サイクルの第１のアクティブな周期中に周期的チャンネルクオリティインジケータを受信し、そしてその受信した周期的チャンネルクオリティインジケータを考慮に入れることでダウンリンク送信についてユーザターミナルをスケジューリングすることを含む。【選択図】図８
2013537733.tif 000002
【特許請求の範囲】
【請求項１】
通信ネットワークにおけるダウンリンク送信についてユーザターミナルをスケジューリングする方法であって、ユーザターミナルがアクティブなモードにある第１のアクティブな周期がサイクルの始めにトリガーされるところのユーザターミナルの不連続受信サイクルの時間巾を決定する段階と、ユーザターミナルに対する周期的チャンネルクオリティインジケータレポート間のインターバルを決定する段階とを備えた方法において、
不連続受信サイクルの第１のアクティブな周期内に周期的チャンネルクオリティインジケータが送信されるように、不連続受信サイクルを、周期的チャンネルクオリティインジケータレポート間のインターバルと整列させる段階と、
不連続受信サイクルの第１のアクティブな周期中に周期的チャンネルクオリティインジケータを受信し、従って、不連続受信サイクルに対する最新のチャンネルクオリティインジケータを得る段階と、
前記受信した周期的チャンネルクオリティインジケータを考慮に入れることでダウンリンク送信についてユーザターミナルをスケジューリングする段階と、
を更に備えることを特徴とする方法。
【請求項２】
前記不連続受信サイクルの時間巾は、前記周期的チャンネルクオリティインジケータレポート間のインターバルの整数倍となるように決定され、従って、各不連続受信サイクルについて最新のチャンネルクオリティインジケータが得られる、請求項１に記載の方法。
【請求項３】
各不連続受信サイクルの第１のアクティブな周期内に、アップリンク送信に利用でき且つ不連続受信サイクルのスタートに最も接近したサブフレーム、好ましくは、不連続受信サイクルの第１のサブフレームにおいて、周期的チャンネルクオリティインジケータを受信する段階を更に備えた、請求項１又は２に記載の方法。
【請求項４】
前記第１のアクティブな周期中に非周期的チャンネルクオリティインジケータレポートのアップリンク送信のためのグラントを指定する段階と、
前記第１のアクティブな周期中に前記非周期的チャンネルクオリティインジケータを受信する段階と、
前記受信した非周期的チャンネルクオリティインジケータを考慮に入れることでダウンリンク送信についてユーザターミナルをスケジューリングする段階と、
を更に備えた請求項１から３のいずれかに記載の方法。
【請求項５】
前記不連続受信サイクルの第１のサブフレームにおいて前記非周期的チャンネルクオリティインジケータを受信する段階を更に備えた、請求項４に記載の方法。
【請求項６】
前記グラントの指定及び前記非周期的チャンネルクオリティインジケータの受信を遂行することは、次の条件、即ちアップリンク送信容量が存在すること、アップリンクで送信する必要のあるユーザデータがないこと、及びダウンリンク送信サブフレームの実質的に全てのリソースブロックが割り当てられること、のうちの少なくとも１つに依存する、請求項４又は５に記載の方法。
【請求項７】
ダウンリンク送信スケジューリングにおいてユーザターミナルを、そのユーザターミナルからの利用可能なチャンネルクオリティインジケータのクオリティに基づいてプライオリティ決めする段階を更に備え、前記チャンネルクオリティインジケータのクオリティは、ユーザターミナルから得られるチャンネルクオリティインジケータの形式によって決定され、そしてクオリティの高くなる順番は、デフォールトチャンネルクオリティインジケータ、履歴的チャンネルクオリティインジケータ、周期的ワイドバンドチャンネルクオリティインジケータ、周期的周波数選択的チャンネルクオリティインジケータ、及び非周期的チャンネルクオリティインジケータの順である、請求項１から６のいずれかに記載の方法。
【請求項８】
あるユーザターミナルへのダウンリンク送信を遂行するための確率を指定する段階を更に備え、前記確率は、利用可能なチャンネルクオリティインジケータのクオリティに比例し、ユーザターミナルからの利用可能なチャンネルクオリティインジケータのクオリティが低いほど、ユーザターミナルへのダウンリンク送信を遂行するための確率が低くなり、
前記確率情報を、プライオリティ決めのときに使用する段階を更に備えた、請求項７に記載の方法。
【請求項９】
ユーザターミナルの利用可能なチャンネルクオリティインジケータがデフォールトチャンネルクオリティインジケータ又は履歴的チャンネルクオリティインジケータのいずれかである場合には、ユーザターミナルからの利用可能なチャンネルクオリティインジケータが周期的チャンネルクオリティインジケータ又は非周期的チャンネルクオリティインジケータのいずれかとなるまで、あるユーザターミナルへのダウンリンク送信を制限する段階を更に備えた、請求項７又は８に記載の方法。
【請求項１０】
各不連続受信サイクルの第１のアクティブな周期内にサウンディング基準信号が送信されるように、アップリンクサウンディング基準信号の送信と送信との間のインターバルを不連続受信サイクルと整列させる段階と、
各不連続受信サイクルの第１の周期内にサウンディング基準信号を受信する段階と、
前記受信したサウンディング基準信号を考慮に入れることでアップリンク送信についてユーザターミナルをスケジューリングする段階と、
を更に備えた請求項１から９のいずれかに記載の方法。
【請求項１１】
通信ネットワークにおけるダウンリンク送信についてユーザターミナルをスケジューリングする装置であって、少なくとも１つのプロセッサと、コンピュータプログラムコードを含む少なくとも１つのメモリとを備え、前記少なくとも１つのメモリ及び前記コンピュータプログラムコードは、前記少なくとも１つのプロセッサと共に、前記装置が、少なくとも、
ユーザターミナルがアクティブなモードにある第１のアクティブな周期がサイクルの始めにトリガーされるところのユーザターミナルの不連続受信サイクルの時間巾を決定し、そして
ユーザターミナルに対する周期的チャンネルクオリティインジケータレポート間のインターバルを決定する、
ようにさせるよう構成された装置において、更に、
不連続受信サイクルの第１のアクティブな周期内に周期的チャンネルクオリティインジケータが送信されるように、不連続受信サイクルを、周期的チャンネルクオリティインジケータレポート間のインターバルと整列させ、
不連続受信サイクルの第１のアクティブな周期中に周期的チャンネルクオリティインジケータを受信し、従って、不連続受信サイクルに対する最新のチャンネルクオリティインジケータを得、
前記受信した周期的チャンネルクオリティインジケータを考慮に入れることでダウンリンク送信についてユーザターミナルをスケジューリングする、
ようにさせるよう構成されたことを特徴とする装置。
【請求項１２】
前記不連続受信サイクルの時間巾は、前記周期的チャンネルクオリティインジケータレポート間のインターバルの整数倍となるように決定され、従って、各不連続受信サイクルについて最新のチャンネルクオリティインジケータが得られる、請求項１１に記載の装置。
【請求項１３】
前記装置は、更に、
各不連続受信サイクルの第１のアクティブな周期内に、アップリンク送信に利用でき且つ不連続受信サイクルのスタートに最も接近したサブフレーム、好ましくは、不連続受信サイクルの第１のサブフレームにおいて、周期的チャンネルクオリティインジケータを受信する、
ようにされた請求項１１又は１２に記載の装置。
【請求項１４】
前記装置は、更に、
前記第１のアクティブな周期中に非周期的チャンネルクオリティインジケータレポートのアップリンク送信のためのグラントを指定し、
前記第１のアクティブな周期中に前記非周期的チャンネルクオリティインジケータを受信し、そして
前記受信した非周期的チャンネルクオリティインジケータを考慮に入れることでダウンリンク送信についてユーザターミナルをスケジューリングする、
ようにされた請求項１１から１３のいずれかに記載の装置。
【請求項１５】
前記装置は、更に、
前記不連続受信サイクルの第１のサブフレームにおいて前記非周期的チャンネルクオリティインジケータを受信する、
ようにされた請求項１４に記載の装置。
【請求項１６】
前記グラントの指定及び前記非周期的チャンネルクオリティインジケータの受信を遂行することは、次の条件、即ちアップリンク送信容量が存在すること、アップリンクで送信する必要のあるユーザデータがないこと、及びダウンリンク送信サブフレームの実質的に全てのリソースブロックが割り当てられること、のうちの少なくとも１つに依存する、請求項１４又は１５に記載の装置。
【請求項１７】
前記装置は、更に、
ダウンリンク送信スケジューリングにおいてユーザターミナルを、そのユーザターミナルからの利用可能なチャンネルクオリティインジケータのクオリティに基づいてプライオリティ決めする、
ようにされ、前記チャンネルクオリティインジケータのクオリティは、ユーザターミナルから得られるチャンネルクオリティインジケータの形式によって決定され、そしてクオリティの高くなる順番は、デフォールトチャンネルクオリティインジケータ、履歴的チャンネルクオリティインジケータ、周期的ワイドバンドチャンネルクオリティインジケータ、周期的周波数選択的チャンネルクオリティインジケータ、及び非周期的チャンネルクオリティインジケータの順である、請求項１１から１６のいずれかに記載の装置。
【請求項１８】
前記装置は、更に、
あるユーザターミナルへのダウンリンク送信を遂行するための確率を指定する、
ようにされ、前記確率は、利用可能なチャンネルクオリティインジケータのクオリティに比例し、ユーザターミナルからの利用可能なチャンネルクオリティインジケータのクオリティが低いほど、ユーザターミナルへのダウンリンク送信を遂行するための確率が低くなり、そして
前記確率情報を、プライオリティ決めのときに使用する、
ようにされた請求項１７に記載の装置。
【請求項１９】
前記装置は、更に、
ユーザターミナルの利用可能なチャンネルクオリティインジケータがデフォールトチャンネルクオリティインジケータ又は履歴的チャンネルクオリティインジケータのいずれかである場合には、ユーザターミナルからの利用可能なチャンネルクオリティインジケータが周期的チャンネルクオリティインジケータ又は非周期的チャンネルクオリティインジケータのいずれかとなるまで、あるユーザターミナルへのダウンリンク送信を制限する、
ようにされた請求項１７又は１８に記載の装置。
【請求項２０】
前記装置は、更に、
各不連続受信サイクルの第１のアクティブな周期内にサウンディング基準信号が送信されるように、アップリンクサウンディング基準信号の送信と送信との間のインターバルを不連続受信サイクルと整列させ、
各不連続受信サイクルの第１の周期内にサウンディング基準信号を受信し、そして
前記受信したサウンディング基準信号を考慮に入れることでアップリンク送信についてユーザターミナルをスケジューリングする、
ようにされた請求項１１ないし１９のいずれかに記載の装置。
【請求項２１】
通信ネットワークにおけるダウンリンク送信についてユーザターミナルをスケジューリングする装置であって、ユーザターミナルがアクティブなモードにある第１のアクティブな周期がサイクルの始めにトリガーされるところのユーザターミナルの不連続受信サイクルの時間巾を決定する処理手段と、ユーザターミナルに対する周期的チャンネルクオリティインジケータレポート間のインターバルを決定する処理手段とを備えた装置において、
不連続受信サイクルの第１のアクティブな周期内に周期的チャンネルクオリティインジケータが送信されるように、不連続受信サイクルを、周期的チャンネルクオリティインジケータレポート間のインターバルと整列させる処理手段と、
不連続受信サイクルの第１のアクティブな周期中に周期的チャンネルクオリティインジケータを受信し、従って、不連続受信サイクルに対する最新のチャンネルクオリティインジケータを得るインターフェイス手段と、
前記受信した周期的チャンネルクオリティインジケータを考慮に入れることでダウンリンク送信についてユーザターミナルをスケジューリングする処理手段と、
を更に備えることを特徴とする装置。
【請求項２２】
通信ネットワークにおけるアップリンク送信で情報を送信する方法であって、装置がアクティブなモードにある第１のアクティブな周期がサイクルの始めにトリガーされるところの不連続受信サイクルの時間巾に関連した情報、及び周期的チャンネルクオリティインジケータレポート間のインターバルに関連した情報を得ることを含む方法において、
不連続受信サイクルの第１のアクティブな周期内に周期的チャンネルクオリティインジケータを送信するように、不連続受信サイクルを、周期的チャンネルクオリティインジケータレポート間のインターバルと整列させ、更に、
不連続受信サイクルの第１のアクティブな周期中に周期的チャンネルクオリティインジケータを送信し、従って、不連続受信サイクルに対する最新のチャンネルクオリティインジケータを与えることを含む、ことを特徴とする方法。
【請求項２３】
前記不連続受信サイクルの時間巾は、前記周期的チャンネルクオリティインジケータレポート間のインターバルの整数倍となるよう決定され、従って、各不連続受信サイクルについて最新のチャンネルクオリティインジケータが得られる、請求項２２に記載の方法。
【請求項２４】
前記方法は、更に、
各不連続受信サイクルの第１のアクティブな周期内に、アップリンク送信に利用でき且つ不連続受信サイクルのスタートに最も接近したサブフレーム、好ましくは、不連続受信サイクルの第１のサブフレームにおいて、周期的チャンネルクオリティインジケータを送信することを含む、請求項２２又は２３に記載の方法。
【請求項２５】
前記方法は、更に、
前記第１のアクティブな周期中に非周期的チャンネルクオリティインジケータレポートのアップリンク送信のためのグラントを受信し、そして
前記第１のアクティブな周期中に前記非周期的チャンネルクオリティインジケータを送信する、
ことを含む請求項２２ないし２４のいずれかに記載の方法。
【請求項２６】
前記方法は、更に、前記不連続受信サイクルの第１のサブフレームにおいて前記非周期的チャンネルクオリティインジケータを送信することを含む、請求項２５に記載の方法。
【請求項２７】
前記非周期的チャンネルクオリティインジケータの送信は、次の条件、即ちアップリンク送信容量が存在すること、アップリンクで送信する必要のあるユーザデータがないこと、及びダウンリンク送信サブフレームの実質的に全てのリソースブロックが割り当てられること、のうちの少なくとも１つに依存する、請求項２５又は２６に記載の方法。
【請求項２８】
前記方法は、更に、
アップリンクサウンディング基準信号の送信と送信との間のインターバルに関する情報を得、各不連続受信サイクルの第１のアクティブな周期内にサウンディング基準信号が送信されるようにアップリンクサウンディング基準信号の送信と送信との間のインターバルを不連続受信サイクルと整列させ、
各不連続受信サイクルの第１の周期内にサウンディング基準信号を送信して、ユーザターミナルをアップリンク送信についてスケジューリングするときに前記送信されたサウンディング基準信号を考慮に入れる、
ことを含む請求項２２ないし２７のいずれかに記載の方法。
【請求項２９】
通信ネットワークにおけるアップリンク送信で情報を送信する装置であって、少なくとも１つのプロセッサと、コンピュータプログラムコードを含む少なくとも１つのメモリとを備え、前記少なくとも１つのメモリ及び前記コンピュータプログラムコードは、前記少なくとも１つのプロセッサと共に、前記装置が、少なくとも、
前記装置がアクティブなモードにある第１のアクティブな周期がサイクルの始めにトリガーされるところの不連続受信サイクルの時間巾に関連した情報、及び周期的チャンネルクオリティインジケータレポート間のインターバルに関連した情報を得る、
ようにさせるよう構成された装置において、更に、
不連続受信サイクルの第１のアクティブな周期内に周期的チャンネルクオリティインジケータを送信するように、不連続受信サイクルを、周期的チャンネルクオリティインジケータレポート間のインターバルと整列させ、
不連続受信サイクルの第１のアクティブな周期中に周期的チャンネルクオリティインジケータを送信し、従って、不連続受信サイクルに対する最新のチャンネルクオリティインジケータを与える、
ようにさせることを特徴とする、装置。
【請求項３０】
前記不連続受信サイクルの時間巾は、前記周期的チャンネルクオリティインジケータレポート間のインターバルの整数倍となるよう決定され、従って、各不連続受信サイクルについて最新のチャンネルクオリティインジケータが得られる、請求項２９に記載の装置。
【請求項３１】
前記装置は、更に、
各不連続受信サイクルの第１のアクティブな周期内に、アップリンク送信に利用でき且つ不連続受信サイクルのスタートに最も接近したサブフレーム、好ましくは、不連続受信サイクルの第１のサブフレームにおいて、周期的チャンネルクオリティインジケータを送信するようにさせる、請求項２９又は３０に記載の装置。
【請求項３２】
前記装置は、更に、
前記第１のアクティブな周期中に非周期的チャンネルクオリティインジケータレポートのアップリンク送信のためのグラントを受信し、そして
前記第１のアクティブな周期中に前記非周期的チャンネルクオリティインジケータを送信する、
ようにさせる請求項２９ないし３１のいずれかに記載の装置。
【請求項３３】
前記装置は、更に、前記不連続受信サイクルの第１のサブフレームにおいて前記非周期的チャンネルクオリティインジケータを送信するようにさせる、請求項３２に記載の装置。
【請求項３４】
前記非周期的チャンネルクオリティインジケータの送信は、次の条件、即ちアップリンク送信容量が存在すること、アップリンクで送信する必要のあるユーザデータがないこと、及びダウンリンク送信サブフレームの実質的に全てのリソースブロックが割り当てられること、のうちの少なくとも１つに依存する、請求項３２又は３３に記載の装置。
【請求項３５】
前記装置は、更に、
アップリンクサウンディング基準信号の送信と送信との間のインターバルに関する情報を得、各不連続受信サイクルの第１のアクティブな周期内にサウンディング基準信号が送信されるようにアップリンクサウンディング基準信号の送信と送信との間のインターバルを不連続受信サイクルと整列させ、
各不連続受信サイクルの第１の周期内にサウンディング基準信号を送信して、ユーザターミナルをアップリンク送信についてスケジューリングするときに前記送信されたサウンディング基準信号を考慮に入れる、
ようにさせる請求項２９ないし３４のいずれかに記載の装置。
【請求項３６】
通信ネットワークにおけるアップリンク送信で情報を送信する装置であって、装置がアクティブなモードにある第１のアクティブな周期がサイクルの始めにトリガーされるところの不連続受信サイクルの時間巾に関連した情報、及び周期的チャンネルクオリティインジケータレポート間のインターバルに関連した情報を得るための処理手段を備えた装置において、
不連続受信サイクルの第１のアクティブな周期内に周期的チャンネルクオリティインジケータを送信するように、不連続受信サイクルが、周期的チャンネルクオリティインジケータレポート間のインターバルと整列され、更に、
不連続受信サイクルの第１のアクティブな周期中に周期的チャンネルクオリティインジケータを送信し、従って、不連続受信サイクルに対する最新のチャンネルクオリティインジケータを与えるためのインターフェイス手段を更に備えたことを特徴とする装置。
【請求項３７】
コンピュータにより読み取り可能な配布媒体に埋め込まれ、そして装置にロードされたときに請求項１ないし１０のいずれかに記載の方法を実行するプログラムインストラクションを含むコンピュータプログラム。
【請求項３８】
コンピュータにより読み取り可能な配布媒体に埋め込まれ、そして装置にロードされたときに請求項２２ないし２８のいずれかに記載の方法を実行するプログラムインストラクションを含むコンピュータプログラム。
【発明の詳細な説明】
【技術分野】
【０００１】
本発明は、一般的に、移動通信ネットワークに関する。より詳細には、本発明は、少なくとも１つのユーザターミナル（ＵＴ）が不連続受信（ＤＲＸ）を適用するときのワイヤレス通信ネットワークにおけるＵＴのスケジューリングに関する。
【背景技術】
【０００２】
無線インターフェイスにおける無線状態から完全な利益を得るため、スケジューラは、ｅＮＢから多数のＵＴへのダウンリンク送信をスケジューリングするように適用される。しかしながら、最新のスケジューリングには多数の問題が関連している。従って、無線インターフェイスをより効率的に利用できるようにスケジューリングを改善するための解決策を提供することが重要である。
【発明の概要】
【発明が解決しようとする課題】
【０００３】
本発明は、少なくとも１つのＵＴが不連続受信（ＤＲＸ）を適用するときのＵＴのスケジューリングを改善することに向けられる。
【課題を解決するための手段】
【０００４】
本発明の１つの態様によれば、請求項１及び２２に記載の方法が提供される。
【０００５】
本発明の１つの態様によれば、請求項１１、２１、２９及び３６に記載の装置が提供される。
【０００６】
本発明の１つの態様によれば、請求項３７及び３８に記載のコンピュータプログラム製品が提供される。本発明の実施形態は、従属請求項に記載する。
【０００７】
以下、添付図面を参照して本発明の実施形態を詳細に説明する。
【図面の簡単な説明】
【０００８】
【図１】一実施形態による通信ネットワークを示す。
【図２】一実施形態による不連続受信のサイクル中の機能を示す。
【図３】一実施形態による不連続受信のサイクル中の機能を示す。
【図４】一実施形態によるチャンネルクオリティインジケータの送信を示す。
【図５Ａ】一実施形態によるチャンネルクオリティインジケータの送信を示す。
【図５Ｂ】一実施形態によるチャンネルクオリティインジケータの送信を示す。
【図６】一実施形態による不連続受信サイクル中の機能及びチャンネルクオリティインジケータの送信を示す。
【図７】一実施形態による装置を示す。
【図８】一実施形態によるスケジューリング方法を示す。
【図９】一実施形態によるデータ送信方法を示す。
【発明を実施するための形態】
【０００９】
以下の実施形態は、例示に過ぎない。明細書中の多くの場所で「一」、「１つの」又は「ある」実施形態が言及されるが、必ずしも各々が同じ実施形態を指すものではなく、或いは特定の特徴が単一の実施形態のみに適用されることを意味していない。又、異なる実施形態の単一の特徴を組み合わせて、他の実施形態をなすこともできる。
【００１０】
第３世代パートナーシッププロジェクト（３ＧＰＰ）の長期進化（ＬＴＥ）又はＬＴＥ進歩型（ＬＴＥ−Ａ）のような無線通信ネットワークは、典型的に、少なくとも１つのベースステーション（例えば、ベーストランシーバステーション、ノードＢ又は進化型ノードＢとも称される）、ユーザ装置（例えば、ユーザターミナル及び移動ステーションとも称される）、及びコアネットワークに向けて相互接続を与える任意のネットワーク要素で構成される。ベースステーションは、ＵＴを、いわゆる無線インターフェイスを経てネットワークへ接続する。
【００１１】
図１は、一実施形態による通信ネットワークを示す。上述したように、通信ネットワークは、ベースステーション１０２を備えている。公衆ベースステーション１０２は、セル１００に対する無線カバレージを与え、無線リソース割り当てをコントロールし、データ及びコントロールシグナリングを遂行し、等々を行う。セル１００は、マクロセル、マイクロセル、又は無線カバレージが存在する他の形式のセルである。更に、セル１００は、使用するアンテナシステムに基づいて任意のサイズ又は形態でよい。
【００１２】
一般的に、この実施形態に適用できるベースステーション１０２は、次の通信プロトコル、即ち、「マイクロ波アクセスのためのワールドワイドインターオペラビリティ（Ｗｉ−ＭＡＸ）」、基本的ワイドバンドコード分割多重アクセス（Ｗ−ＣＤＭＡ）に基づく「ユニバーサルモバイルテレコミュニケーションシステム（ＵＭＴＳ）」、高速パケットアクセス（ＨＳＰＡ）、ＬＴＥ、及び／又はＬＴＥ−Ａ、のうちの少なくとも１つに基づいて通信サービスを提供するように構成される。公衆ベースステーション１０２は、更に、ＧＳＭ（Global System for Mobile communication）及び／又はＧＰＲＳ（General Packet Radio Service）に基づく第２世代セルラーサービスを提供する。しかしながら、ここに示す実施形態は、これらのプロトコルに限定されない。
【００１３】
ベースステーション１０２は、セル１００に対する無線カバレージを与えるように使用される。ベースステーション１０２は、ネットワークの１つの通信ポイントと考えられる。又、ベースステーション１０２は、カバレージエリアが広いことからワイドエリア（ＷＡ）ベースステーションとも称される。ベースステーション１０２は、ノードＢ、ＬＴＥ−Ａのような進化型ノードＢ（ｅＮＢ）、無線ネットワークコントローラ（ＲＮＣ）、又は無線通信をコントロールし且つセル１００内の無線リソースを管理することのできる他の装置である。又、ベースステーション１０２は、ユーザターミナルにより行われる無線信号レベル測定をコントロールし且つ分析し、それ自身の測定を実行し、そしてその測定に基づいてハンドオーバーを行うことにより移動管理にも作用する。
【００１４】
説明を簡単化するため、ベースステーションがｅＮＢであると仮定する。ＬＴＥのエアインターフェイスである進化型ユニバーサル移動テレコミュニケーションシステム（ＵＭＴＳ）地上無線アクセスネットワーク（Ｅ−ＵＴＲＡＮ）の開発は、ｅＮＢ１０２に集中している。ｅＮＢ１０２が全ての無線関連プロトコルのための終点であるように、全ての無線機能がここで終わりとなる。Ｅ−ＵＴＲＡＮは、例えば、直交周波数分割多重アクセス（ＯＦＤＭＡ）がダウンリンク送信に適用され、一方、単一キャリア周波数分割多重アクセス（ＳＣ−ＦＤＭＡ）がアップリンクに適用されるように構成される。通信ネットワークに複数のｅＮＢがある場合には、ｅＮＢは、ＬＴＥに指定されたＸ２インターフェイスで互いに接続される。
【００１５】
ｅＮＢ１０２は、更に、ＳＩインターフェイスを経て進化型パケットコア（ＥＰＣ）１１０に接続され、より特定すれば、移動管理エンティティ（ＭＭＥ）及びシステムアーキテクチャー進化ゲートウェア（ＳＡＥ−ＧＷ）に接続される。ＭＭＥは、非アクセス層シグナリング、ローミング、認証、追跡エリアリスト管理、等の機能をコントロールするためのコントロールプレーンであり、一方、ＳＡＥ−ＧＷは、パケットルーティング及びフォワーディング、Ｅ−ＵＴＲＡＮアイドルモードパケットバッファリング、等を含むユーザプレーン機能を取り扱う。ユーザプレーンは、ＭＭＥプレーンをＳＡＥ−ＧＷへ直接バイパスさせる。ＳＡＥ−ＧＷは、２つの個別のゲートウェイ、即ちサービングゲートウェイ（Ｓ−ＧＷ）及びパケットデータネットワークゲートウェイ（Ｐ−ＧＷ）を含む。ＭＭＥは、ｅＮＢとＳ−ＧＷとの間のトンネリングをコントロールし、これは、例えば、異なるｅＮＢ間の移動に対するローカルアンカーポイントとして働く。Ｓ−ＧＷは、ｅＮＢとＰ−ＧＷとの間でデータを中継し、又は必要に応じてデータパケットをバッファし、対応するｅＮＢへの適当なトンネリングが確立された後にそれらを解放する。更に、ＭＭＥ及びＳＡＥ−ＧＷは、ＭＭＥ及びＳＡＥ−ＧＷのセットがｅＮＢのセットにサービスすることが指定されるようにポーリングされる。これは、ｅＮＢが複数のＭＭＥ及びＳＡＥ−ＧＷに接続されるが、各ユーザターミナルは、一度に１つのＭＭＥ及び／又はＳ−ＧＷによりサービスされることを意味する。
【００１６】
一実施形態によれば、ｅＮＢ１０２は、移動ユーザターミナル、パルムコンピュータ、ユーザ装置、又は移動通信ネットワークにおいて動作できる他の装置のようなユーザターミナル（ＵＴ）１０８Ａないし１０８Ｄとの接続を確立する。即ち、ＵＴ１０８Ａないし１０８Ｄは、ｅＮＢ１０２とのデータ通信を遂行する。以下、参照番号１０８は、ＵＴ１０８Ａないし１０８Ｄのいずれかを示す。
【００１７】
ｅＮＢ１０２は、ダウンリンク／アップリンク送信についてＵＴ１０８をスケジューリングするためのスケジューラを含む。即ち、ＵＴのスケジューリングは、スケジューラによって遂行される。ＵＬスケジューリングのために１つのアップリンク（ＵＬ）スケジューラがあり、そしてＤＬスケジューリングのために１つのダウンリンク（ＤＬ）スケジューラがある。そのようなスケジューラは、更に、時間ドメイン（ＴＤ）スケジューラ部分と周波数ドメイン（ＦＤ）部分とに分割される。ダウンリンク及びアップリンク時間ドメインスケジューラ部分は、データを送信するためのダウンリンク及びアップリンクリソースを得なければならないある時点に対してＵＴのサブセットを選択する。送信のためのグラントを許す判断（スケジューリング判断）は、サービス観点のクオリティ、データ入手性、保留中の再送、等に基づく。ダウンリンク及びアップリンク周波数ドメインスケジューラ部分は、時間ドメインスケジューラ部分により与えられるＵＴのサブセットに対して物理的ダウンリンク共有チャンネル（ＰＤＳＣＨ）及び物理的アップリンク共有チャンネル（ＰＵＳＣＨ）に周波数リソースを各々割り当てる。
【００１８】
或いは又、１つのスケジューラで時間ドメインスケジューリング及び周波数ドメインスケジューリングの両方を処理してもよい。これは、１つのステップで行われてもよいし（両ドメインにおける同時スケジューリング）又は連続的に行われてもよい。
【００１９】
ＵＴのバッテリ消費を最小にすると共に、ＵＴのバッテリ寿命を最大にするため、ＵＴ１０８は、不連続受信（ＤＲＸ）を適用する。ＤＲＸがディスエイブルされた場合には、ＵＴ１０８は、物理的ダウンリンクコントロールチャンネル（ＰＤＣＣＨ）をＵＬ及びＤＬグラントについて監視し、これは、ＤＬ又はＵＬ送信をグラントするためにＰＤＣＣＨを経て送信される指示である。これは、聴取すべきものがほとんどの時間ないので、エネルギー浪費である。従って、ＵＴ１０８は、そのバッテリを無駄に使用する。ユーザターミナルが接続されて、その無線リソースがコントロールされる場合に（ＲＲＣ＿Ｃｏｎｎｅｃｔｅｄモード）、ユーザターミナルに対してＤＲＸがイネーブルされる。
【００２０】
ＤＲＸの機能により、ある数のサブフレームのＤＲＸサイクルにおいて時間線が分割される。１つのサブフレームは、無線フレームの１／１０として定義されたＬＴＥにあり、そしてサブフレームの長さは、１ミリ秒（ｍｓ）である。ＤＲＸサイクルは、連続的であり、即ち互いの前後にＤＲＸサイクルがある。ＤＲＸサイクルのスタートは、システムフレーム番号（ＳＦＮ）＋ＵＴ特有オフセットにリンクされる。例えば、ＬＴＥでは、ＤＲＸサイクルは、次の長さをもつ。即ち、１０、２０、３２、４０、６４、８０、１２８、１６０、２５６、３２０、５１２、６４０、１０２４、１２８０、２０４８、２５６０ｍｓ。
【００２１】
ＤＲＸサイクルは、ＵＴ１０８がアクティブなモードにあるとき幾つかの周期を含む。これは、「ＤＲＸアクティブ」モードと称される。ＵＴ１０８は、ＤＲＸアクティブモードにあるとき、ＰＤＣＣＨをＵＬ及びＤＬグラントについて監視する。これを行うことにより、ＤＬ送信を受け取って、ＵＬ送信を遂行することができる。しかしながら、ＵＴ１０８がスリープモード（「ＤＲＸスリープ」モード）にあるときには、ＵＴ１０８は、ＰＤＣＣＨをＵＬ及びＤＬグラントについて監視しない。これを行うことにより、ＤＬ送信を受け取ることも、ＵＬ送信を遂行することもしない。ＤＲＸスリープの周期中に、ＰＤＣＣＨ及びＰＤＳＣＨにおける受信を取り扱うＵＴ１０８受信器の部分は、スイッチオフされ、ＵＴは、電力を節約することができる。従って、バッテリ寿命が延長される。ＵＴ１０８は、それがアクティブモードにないときはスリープモードにある。
【００２２】
更に、ＵＴ１０８がスリープモードにあるときは、物理的アップリンクコントロールチャンネル（ＰＵＣＣＨ）のチャンネルクオリティインジケータ（ＣＱＩ）、ランクインジケータ（ＲＩ）、及びプレコーディングマトリクスインジケータ（ＰＭＩ）も、サウンディング基準記号（ＳＲＳ）も、ＵＴ１０８からｅＮＢ１０２へ送信することができない。それ故、通信システムのスループットは、例えば、最新のチャンネル状態情報の欠落により影響を受けることがある。
【００２３】
ＤＲＸについて定義された他のタイマーの他に、ＤＲＸオンデュレーション(OnDuration)タイマー及びＤＲＸインアクティビティタイマーは、最も重要なタイマーである。ＤＲＸオンデュレーションタイマーは、ＤＲＸサイクル内の第１のアクティブな周期をトリガーする。各ＵＴ１０８に対して１つのタイマーがある。タイマーは、各ＤＲＸサイクルの第１のサブフレームでスタートされ、そして上述したように、動作時に、ＵＴ１０８は、ＤＲＸアクティブとなる。例えば、ＬＴＥにおいて、タイマーの考えられる値は、１、２、３、４、５、６、８、１０、２０、３０、４０、５０、６０、８０、１００、２００ｍｓである。値の選択は、例えば、初期設定中にｅＮＢ１０２から通信によりＵＴ１０８に与えられるか、又はＵＴ１０８に対して再構成される。
【００２４】
ＤＲＸインアクティビティタイマーは、ＰＤＣＣＨが新たなＵＬ又はＤＬ送信を指示し且つＵＴ１０８がそのときＤＲＸアクティブモードにある場合にスタート又は再スタートされる。従って、インアクティビティタイマーが動作しているときに、ＵＴ１０８は、アクティブモードにある。各ＵＴ１０８に対して１つのタイマーがある。例えば、ＬＴＥでは、タイマーの考えられる値は、１、２、３、４、５、６、８、１０、２０、３０、４０、５０、６０、８０、１００、２００、３００、５００、７５０、１２８０、１９２０、２５６０ｍｓである。値の選択は、例えば、初期設定中にｅＮＢ１０２から通信によりＵＴ１０８に与えられるか、又はＵＴ１０８に対して再構成される。
【００２５】
１つのＤＲＸサイクルに対するＤＲＸの動作原理が図２に示されている。図２は、１つ以上のサブフレーム２３０より成る規範的なＤＲＸサイクル２００を示し、各サブフレーム２３０の時間巾は、ＬＴＥで指定されたように１ｍｓである。各ＤＲＸサイクル２００の始めに、ＤＲＸオンデュレーションタイマー２０２がスタートされる。その結果、ＵＴ１０８は、進行中のオンデュレーションタイマー２０２のためにＤＲＸサイクルの第１のサブフレームに対してアクティブモードとなり、ＤＬ及びＵＬグランドを受け取ることができる。アクティブであるＵＴ１０８は、右傾斜の対角線で示されている。オンデュレーションタイマーによるＵＴ１０８のアクティブなモードは、参照番号２０４で示されている。オンデュレーションタイマー２０２の時間巾は、上述したように、予め決定される。
【００２６】
時点２０６において、ＰＤＣＣＨを経てＤＬグラント２０８が受け取られる。グラント２０８は、ＰＤＳＣＨを経てＵＴ１０８へ送信されるべきＤＬデータがｅＮＢ１０２のＤＬバッファに存在するために与えられる。グラント２０８は、時点２０６においてＤＲＸインアクティビティタイマー２１０をトリガーし、これは、参照番号２１２及び２２０で示すようにＤＲＸアクティブモードを延長させる。より詳細には、オンデュレーションタイマー及び第１のインアクティビティタイマーによるＵＴ１０８のアクティブモードは、参照番号２１２で示されている。インアクティビティタイマーの長さは、上述したように、事前にセットされる。
【００２７】
時点２１４において、別のグラント２１６が受け取られる。その結果、グラント２１６は、時点２１４においてＤＲＸインアクティビティタイマー２１８をトリガーし、これは、参照番号２１２及び２２０で示すように、ＤＲＸアクティブモードを延長する。より詳細には、オンデュレーションタイマー及び第１のインアクティビティタイマーによるＵＴ１０８のアクティブモードは、参照番号２１２で示され、一方、第１及び第２のインアクティビティタイマーによるＵＴ１０８のアクティブモードは、参照番号２２０で示されている。
【００２８】
オンデュレーションタイマー２０２と、インアクティビティタイマー２１０及び２１８の各々が満了になると、ＵＴ１０８は、ＤＲＸサイクル２００の残りについてスリープモードに切り換わる（ＤＲＸサイクル２００の時間巾が最後の残りのタイマー２０２、２１０、２１８にわたって延長すると仮定すれば）。このスリープモードは、参照番号２２２で存在することが示されている。スリープモード中に、ＵＴ１０８は、ＰＤＣＣＨをグラントについて聴取せず、ＵＴ１０８のバッテリ寿命をセーブする。
【００２９】
別のグラントが与えられた場合には（ＵＴ１０８が何らかの理由でアクティブモードにあるときには）、第３のインアクティビティタイマーの状態をトリガーして、おそらく、アクティブモードを更に延長する。従って、ＤＲＸインアクティビティタイマー２１０、２１８を再スタートすることは、ＵＬ及び／又はＤＬにおける新たな送信を指示する各グラント２０８、２１６でＤＲＸインアクティビティタイマーウインドウが移動されることを意味する。ｅＮＢ１０２がそのようなグラントをＵＴ１０８へ与え続ける場合には、ＤＲＸインアクティビティタイマーウインドウが、ＤＲＸサイクル２００の端を越えて、次のＤＲＸサイクルへ移動され、これは、手前のＤＲＸサイクルの直後に行われる。
【００３０】
スリープモード２２２の間に、ＵＴ１０８は、それが再び目覚めるまで、ｅＮＢ１０２から更なるグラントを得ることがない。この目覚めは、ＤＲＸオンデュレーションタイマーがスタートするときに次のＤＲＸサイクルの始めに行われる。更に、ＵＴ１０８は、それがスケジューリング要求をｅＮＢ１０２へ送出すべきときに、ＤＲＸアクティブモードに切り換わる。スケジューリング要求の送出は、ＵＴ１０８のバッファにデータがあること及びＵＴ１０８がＵＬ送信を遂行したいことをｅＮＢ１０２に指示するためにＤＲＸサイクル２００内にいつでも行うことができる。これは、図３に詳細に示されている。
【００３１】
図３は、１つ以上のサブフレーム３３０より成る規範的なＤＲＸサイクル３００を示している。先に述べたように、ＤＲＸサイクル３００は、オンデュレーションタイマーのスタートをトリガーし、その間に、ＵＴ１０８は、参照番号３０２で示すようにＤＲＸアクティブモードとなる。
【００３２】
時点３０４において、ＵＴ１０８は、スケジューリング要求３０６をｅＮＢ１０２へ送信する。その結果、ＵＴ１０８は、保留中のスケジューリング要求のために（及びこの図で仮定されているようにオンデュレーションタイマーが既に満了になっている場合には、保留中の要求のみのために）ＤＲＸアクティブ３０８となる。ｅＮＢ１０２は、時点３１０において、ＵＬグラント３１２を許すと決定し、これは、インアクティビティタイマー３１４をトリガーして、ＵＴ１０８が、参照番号３１６で示すようにアクティブモードに入るようにさせる。より正確には、送信を待機しているユーザデータがまだｅＮＢ１０２へ送信されないので、保留中のスケジューリング要求のために、ＵＴ１０８が周期３１６の間にアクティブとなる。
【００３３】
時点３１８において、ＵＴ１０８は、ＰＵＳＣＨを経てｅＮＢ１０８へデータ３２０を送信する。その結果、保留中のスケジューリング要求によるＤＲＸアクティブモードは、ここで、終了となる。しかしながら、インアクティビティタイマーが更に延長する場合には、ＵＴ１０８は、参照番号３２２で示すように、インアクティビティタイマーのためにＤＲＸアクティブとなる。この周期の後に、ＵＴ１０８は、ＤＲＸサイクル３００の残りについて、ＤＲＸスリープモード３２４へ切り換わる。
【００３４】
例えば、ＬＴＥにおいて、ＤＲＸオンデュレーションの間にＵＴ１０８にＵＬ又はＤＬグラントが与えられておらず、且つ例えば、ＵＴ１０８がスケジューリング要求を送信することにより、ＵＴ１０８が、そのサイクル中に後で、ＤＲＸアクティブへ切り換わらない場合には、ｅＮＢ１０２に新たなＤＬデータが到着しても、ＤＲＸサイクルの残りに対してＤＲＸインアクティビティタイマーをスタートすることはあり得ない。このケースでは、このＤＲＸサイクルにＤＬ送信が行われない。
【００３５】
利用可能な無線チャンネル状態を最適に利用するために、ＵＴ１０８は、チャンネルクオリティインジケータ（ＣＱＩ）をｅＮＢ１０２へ送信する。このＣＱＩは、ＵＬにおいてＣＱＩレポートにより送信される。ＣＱＩは、ＵＴ特有であり、ＵＴ１０２の観点から現在チャンネル状態を反映する。更に、ＣＱＩは、ＵＴに関する最良のチャンネル状態で、並びに適切な変調及びコーディングスキーム（ＭＣＳ）で、周波数リソースに基づき、ＤＬにおける来るべき送信をスケジューリングするために、ｅＮＢ１０８により使用される。しかしながら、ＣＱＩは、ＵＴ１０８がＤＲＸスリープモードにある場合には、送信されない。
【００３６】
異なる形式のＣＱＩを利用することができる。異なる形式のＣＱＩの数は、システムに対して予め構成される。一実施形態によれば、５つの形式のＣＱＩを利用することができる。第１に、デフォールトＣＱＩは、ＣＱＩレポートから導出されるＣＱＩ値が利用できず且つ過去のＣＱＩ値が古くなった場合にｅＮＢ１０２によりスケジューリングのために使用されるデフォールト値である。
【００３７】
第２に、履歴的ＣＱＩ値は、以前に受け取られたＣＱＩレポートから導出される。これは、過去のチャンネル状態を反映するもので、最新のものではない。履歴的ＣＱＩは、時間と共にエージングファクタだけ年を経た最後に受け取られたＣＱＩレポートから得られる。しかしながら、これを使用すると、デフォールトＣＱＩ値しか使用しない場合に比して、スループットに関してある程度の利得が依然与えられる。
【００３８】
第３に、周期的ワイドバンドＣＱＩ（周期的周波数非選択的）は、ＰＵＣＣＨを経てｅＮＢ１０２へ周期的に報告される。これは、全ての物理的リソースブロック（ＰＲＢ）の平均チャンネルクオリティを反映する。更に、これは、１つの単一値しか送信されないので、他の形式のＣＱＩレポートに比してより頻繁に報告される。
【００３９】
第４に、周期的サブバンドＣＱＩ(周期的周波数選択的)は、ＰＵＣＣＨを経てｅＮＢ１０８へ周期的に報告される。これは、予め定められたサイズの１つのサブバンドに対するある量のＰＲＢのチャンネルクオリティを反映する。これは、報告に関して周期的なワイドバンドＣＱＩより複雑である。というのは、全てのＵＴ間に共有される限定されたＰＵＣＣＨリソースのために全周波数帯域の全てのサブバンドのＣＱＩを報告するのにある程度の時間を要するからである。
【００４０】
第５に、非周期的周波数選択的ＣＱＩは、アップリンク送信を使用してＰＵＳＣＨを経て報告される。しかしながら、これは、ＵＬグラントにおける指示によりｅＮＢ１０２によって要求される。それ故、これは、周期的に報告されない。この非周期的ＣＱＩは、全周波数帯域の全てのサブバンドのチャンネルクオリティを反映する。
【００４１】
一実施形態によれば、上述した５つの異なるＣＱＩレポートは、それらのクオリティに基づき区別される。クオリティとは、ＣＱＩに保持される情報がどれほど信頼でき、最新で、且つ正確であるか意味する。ＣＱＩは、ＵＴ１０８とｅＮＢ１０２との間に存在するチャンネル状態に関連した情報を保持する。一実施形態によれば、クオリティの高くなる順番は、次の通りである。即ち、デフォールトチャンネルクオリティインジケータ、履歴的チャンネルクオリティインジケータ、周期的ワイドバンドチャンネルクオリティインジケータ、周期的周波数選択的チャンネルクオリティインジケータ、及び非周期的チャンネルクオリティインジケータ。それ故、非周期的ＣＱＩは、最良のクオリティを与え、一方、デフォールトＣＱＩ値は、最もクオリティの低いものである。
【００４２】
ＣＱＩ値が高いほど、次に来るサブフレームに対してＵＴ１０８をスケジューリングするためにｅＮＢ１０２により選択されるＭＣＳが高いものとなる。更に、ＭＣＳが高いほど、同じ数のＰＲＢに対して搬送ブロックサイズが大きくなる。それ故、充分でないＭＣＳを選択すると、次のような結果になることが明らかである。即ち、現在存在する無線状態に比してＭＣＳがより高い場合には、再送がより頻繁に生じ、送信レートの低下が生じる。小さなＭＳＣを使用する場合には、搬送データは、無線レイヤの現在状態から可能となる高いエンコーディングレートでは送信されない。得られる送信レートは、低過ぎる。図４は、ＤＲＸに関連してＣＱＩ報告がどのように行われるか示している。ＤＲＸサイクル４２０、４２２の間にインアクティビティタイマーをトリガーしないＵＴ４００は、周期的ＣＱＩレポート４０４、４０６をＤＲＸオンデュレーション段階４０８、４１０においてのみ送信する。スリープモード４１２、４１４の間にはＣＱＩのレポートがない。更に、ＵＬ送信がないので、非周期的ＣＱＩ報告は不可能である。
【００４３】
同様に、ＵＴ４０２は、ＤＲＸサイクル４５０、４５２のＤＲＸアクティブ段階４３８及び４４０の間に周期的ＣＱＩ  レポート４３４及び４３６を各々送信する。更に、ＵＬ送信のためのグラント４４１が与えられるので、インアクティビティタイマー４４３がスタートされる。従って、ＵＴ４０２は、グラントにおいて要求されれば、非周期的周波数選択的ＣＱＩレポート４３７を送信する。スリープモード４４２、４４４の間には、ＣＱIのレポートはない。
【００４４】
ＵＴがＤＲＸを適用するＣＱＩレポートに関連した問題の１つは、ＵＴがＤＲＸスリープであるときにＣＱＩレポートの送信がないことである。次のとき、おそらくＤＲＸスリープの長い周期の後に、ＵＴがＤＲＸアクティブとなり、ＤＬ送信において再びスケジュールされるときには、利用できる最新のＣＱＩ値がない。以前のＤＲＸアクティブ周期に受け取られたＣＱＩ値は、最新のものではなく、現在のチャンネル状態を反映しない。これは、特に、ＤＲＸサイクルのスタートに関連している。というのは、ＤＲＸサイクルのスタートは、ＤＲＸスリープの長い周期に続くからである。
【００４５】
それ故、ＤＲＸスリープの周期後にＤＬ送信についてＵＴをスケジューリングすることは、デフォールト又は履歴的ＣＱＩ値を使用して行うことが必要である。周期的なＣＱＩレポートを受け取るとき及びその場合には、ｅＮＢがスケジューリングを処理した数サブフレーム後に、周期的ＣＱＩ値を使用して送信をスケジューリングする。ＤＲＸアクティブの周期内に利用できる周期的ＣＱＩレポートがない場合には、デフォールト又は履歴的ＣＱＩ値が全周期に対して使用される。これは、送信を不適切なＭＣＳで遂行させ、スループットを最適でないものにすることがある。
【００４６】
一実施形態によれば、通信ネットワークにおいてユーザターミナルをダウンリンク送信についてスケジューリングするための方法及び装置が提供される。先に述べたように、ＤＲＸを適用するユーザターミナルは、ＤＲＸサイクルの少なくとも一部分はＤＲＸアクティブモードにある。スケジューリングを遂行する装置は、図１のｅＮＢ１０２でもよいし、又は通信ネットワークにおける個別の通信要素でもよい。この装置は、スケジューラと称される。明瞭化のために、装置がｅＮＢ１０２である（又は装置がｅＮＢ１０２に含まれる）と仮定する。
【００４７】
ｅＮＢ１０２は、ＵＴ１０８に対するＤＲＸサイクルの時間巾を決定し、サイクルの開始に第１のアクティブ周期がトリガーされ、その間、ユーザターミナルは、アクティブモードとなる。第１のアクティブ周期は、オンデュレーションタイマーが動作される周期である。更に、アクティブ周期は、インアクティビティタイマーにより又はＵＴからのスケジューリング要求によりトリガーされる。ｅＮＢ１０２は、更に、ユーザターミナルに対する周期的ＣＱＩレポート間のインターバルを決定する。周期的ＣＱＩとは、周期的なワイドバンドＣＱＩ及び／又は周期的なサブバンドＣＱＩを意味する。即ち、ｅＮＢ１０２は、周期的ＣＱＩレポートのための報告インターバル、又は２つの周期的ＣＱＩ形式の一方のみに対するインターバルを決定する。ＣＱＩレポート及びＤＲＸサイクルの決定されたインターバルは、ＵＴ特有であり、従って、異なるＵＴ間で変化する。
【００４８】
一実施形態によれば、ｅＮＢは、更に、周期的ＣＱＩがＤＲＸサイクルの第１のアクティブな周期内に送信されるように、ＤＲＸサイクルを、周期的ＣＱＩレポート間のインターバルに整列させる。これは、周期的ＣＱＩレポートをＤＲＸサイクルの開始に位置させることによりＤＲＸサイクルの開始にＣＱＩレポートが得られるようにする。これは、ＤＲＸサイクルの開始に最新のＣＱＩ値が容易に得られるという効果を有する。それ故、ｅＮＢ１０２は、一般的に不正確で且つ古くなったデフォールト又は履歴的ＣＱＩ値を使用する必要がない。
【００４９】
従って、ＤＲＸサイクルの開始にＣＱＩレポートを得るために、周期的ＣＱＩレポート及びＤＲＸサイクルのスタートを整列させて、ＵＴがＤＲＸアクティブであるときに周期的ＣＱＩレポートを送信できるようにしなければならない。これは、ＤＲＸサイクルの開始にトリガーされるＤＲＸオンデュレーション周期である。
【００５０】
一実施形態によれば、ＤＲＸサイクルは、次の式を満足する各サブフレームにおいてスタートされる。
［(ＳＦＮ＊１０)＋ＮSF］ｍｏｄｕｌｏ（ＴDRX cycle）＝ＤＲＸoffset
但し、ＳＦＮは、システムフレーム番号であり、ＮSFは、現在サブフレーム番号であり、ＴDRXは、ＤＲＸサイクルの時間巾であり、そしてＤＲＸoffsetは、ＤＲＸ周期のスタートに対する予め定められたオフセットである。
【００５１】
周期的ＣＱＩレポートも、同様に、時間線に位置される。従って、ＣＱＩレポートは、次の式を満足する各サブフレームにおいて遂行される。
［(ＳＦＮ＊１０)＋ＮSF−ＣＱＩoffset］ｍｏｄｕｌｏ（ＣＱＩperiod）＝０
但し、ＣＱＩoffsetは、所定のＣＱＩレポートオフセットであり、そしてＣＱＩperiodは、２つの連続するＣＱＩレポート間の予め定められた周期である。
【００５２】
整列を更に向上させるために、一実施形態によれば、ＤＲＸサイクルの時間巾は、周期的ＣＱＩレポート間のインターバルの整数倍であるように決定される。これは、各ＤＲＸサイクルの開始に周期的ＣＱＩレポートが受け取られるという効果を有する。更に、整数倍が２以上の場合には、１つのＤＲＸサイクルの間に周期的ＣＱＩレポートを２回以上受け取る可能性がある。
【００５３】
ＤＲＸサイクルが、周期的ＣＱＩレポート間のインターバルの整数倍でない状態では、そのインターバルと整列される第１のＤＲＸサイクルは、設計されたように、ｅＮＢ１０８により受け取られる周期的ＣＱＩとなる。しかしながら、隣接するＤＲＸサイクルは、不正列の場合には周期的ＣＱＩを受け取らない。
【００５４】
それ故、ｅＮＢ１０２は、各ＤＲＸサイクルの第１のアクティブな周期中に周期的チャンネルクオリティインジケータを受け取り、従って、各ＤＲＸサイクルに対して最新のチャンネルクオリティインジケータを得ることができる。これは、各ＤＲＸサイクルごとに少なくとも１つのＣＱＩレポートが送信されるように有益である。これは、インアクティビティの場合にＵＬにおいてＵＴを同期状態に保持するために短いＤＲＸサイクル長さについて重要である。このようなＵＬ送信は、必要なタイミング整列オフセットを計算するのに使用することができる。更に、時間ドメインスケジューリングは、最新の平均ＭＣＳで実際のチャンネル状態に基づいてＵＴを選択できるようにする。これは、デフォールト又は履歴的ＣＱＩが使用される場合に比して、スループット利得を向上させる。
【００５５】
一実施形態によれば、ｅＮＢ１０２は、アップリンク送信に利用でき且つ不連続受信サイクルの開始に最も接近したサブフレーム、好ましくは、不連続受信サイクルの第１のサブフレームにおいて、周期的チャンネルクオリティインジケータを受け取る。
【００５６】
上述したように、周期的ＣＱＩレポートの送信の好ましいサブフレームは、各ＤＲＸサイクルの第１のサブフレームである。しかしながら、ＰＵＣＣＨにおけるランクインジケータ（ＲＩ）の位置のような他の理由で、周期的ＣＱＩレポートは、第１のサブフレームでは送信されない。そのようなケースでは、ＤＲＸサイクルのスタートに接近しているが、まだＤＲＸオンデュレーション段階にあるサブフレームが、周期的ＣＱＩレポートの送信のために選択される。
【００５７】
図５は、一実施形態による周期的ＣＱＩレポートの送信を示す。図５Ａは、第１のサブフレームがＵＬ送信に利用され、それ故、周期的ＣＱＩレポートに使用されるケースを示す。図示したように、ＣＱＩレポート５０２及び５０４は、各々、各サイクル５１０及び５１２の第１のアクティブな周期５０６及び５０８の第１のサブフレームにおいてｅＮＢへ送信される。スリープモード５１４の間にはレポートは発生されない。
【００５８】
図５Ｂは、例えば、ＲＩ送信のために、第１のサブフレームがＵＬ送信に利用できないケースを示している。それ故、周期的ＣＱＩレポートの送信には、第２のサブフレームが使用される。というのは、第２のサブフレームは、送信に利用できるＤＲＸサイクルのスタートに最も接近したサブフレームだからである。図示されたように、ＣＱＩレポート５２２及び５２４は、各々、各サイクル５３０及び５３２の第１のアクティブな周期５２６及び５２８の第２のサブフレームにおいてｅＮＢ１０２へ送信される。スリープモード５３４の間には、レポートは発生されない。ＲＩ５４２及び５４４は、第１のアクティブな周期５２６及び５２８（オンデュレーション周期）の第１のサブフレームにおいて送信される。
【００５９】
ＵＴ１０２から周期的な最新のＣＱＩレポートを受信すると、ｅＮＢ１０２は、その受信した周期的ＣＱＩを考慮することによりユーザターミナルをダウンリンク送信についてスケジューリングする。これを行うことで、最適なＭＣＳをそれに対応するＵＴに使用することができる。時間ドメインスケジューリング及び周波数ドメインスケジューリングは、現在のチャンネル状態に基づいてＵＴを選択し、ＰＲＢを指定し、そしてその指定したＰＲＢのための適切なＭＣＳを与える。従って、スループット利得を高めることができる。周期的ＣＱＩレポートを得る前、及びｅＮＢ１０２が受け取った周期的ＣＱＩレポートを処理する時間中には、デフォールト又は履歴的ＣＱＩ値がスケジューリングに使用される。
【００６０】
更に、一実施形態によれば、ｅＮＢ１０２は、第１のアクティブな周期中に非周期的なＣＱＩレポートのＵＬ送信のためのグラントを指定する。このグラントは、ＤＲＸサイクルの開始に１つの搬送ブロックにおいて周波数選択的ＣＱＩレポートをｅＮＢ１０２へ搬送するに充分なリソースを指定するようＵＴ１０２に通知する。これは、最良の精度及び信頼性でＣＱＩ値を得られるようにする。非周期的な周波数選択的ＣＱＩレポートとは、全周波数帯域のＣＱＩ値を１つのレポートにおいて送信すると共に、ある時点での最新の個別のチャンネル状態情報を反映するとみなされるＣＱＩレポートである。それ故、最良のＣＱＩクオリティをもつＣＱＩレポートと考えられる。その効果は、ＤＲＸスリープの周期後のできるだけ早期に、おそらく最良のクオリティのＣＱＩが得られることである。
【００６１】
その結果、ｅＮＢ１０２は、第１のアクティブな周期中にＵＴ１０８から非周期的なチャンネルクオリティインジケータを受け取る。一実施形態において、非周期的ＣＱＩは、ＤＲＸサイクルの第１のサブフレーム（即ち、第１のアクティブな周期のスタート後の第１のサブフレーム）にＵＴ１０８からｅＮＢ１０２により受け取られる。これは、非周期的ＣＱＩ及び周期的ＣＱＩが同じサブフレーム内に当然あり且つＵＬグラントが得られるときの時分割デュープレックス（ＴＤＤ）システムのケースである。次いで、サブフレームにおいて非周期的ＣＱＩだけが送信されねばならない。次いで、ｅＮＢは、受け取った非周期的ＣＱＩを考慮することによりユーザターミナルをダウンリンク送信に対してスケジュールすることができる。非周期的ＣＱＩがないと、スケジューリングは、周期的ＣＱＩ（それが受け取られると）に基づいて遂行される。
【００６２】
しかしながら、一実施形態によれば、グラントの指定及び非周期的チャンネルクオリティインジケータの受け取りは、次の条件の少なくとも１つに基づいて行われる。即ち、アップリンク送信容量が存在すること、アップリンクにおいてユーザデータを送信する必要がないこと、及びダウンリンク送信サブフレームの実質的に全てのリソースブロックが割り当てられること。即ち、ｅＮＢ１０２により非周期的ＣＱＩ要求を行うことは、これら条件の１つ、又はこれら条件の考えられる組み合わせに依存する。送信する必要のあるユーザデータの存在は、ＵＴ１０８におけるＵＬバッファからＵＬバッファ状態チェックによりチェックされる。その結果、非周期的ＣＱＩレポートは、アップリンクデータがＵＴ１０８により送信されるべきであるかどうか、充分なアップリンク容量があるかどうか、及びダウンリンクが完全にロードされたかどうかに依存する。一実施形態では、ＵＬデータのグラントがＵＴ１０８に与えられるときに非周期的ＣＱＩが要求される。又、一実施形態では、ＵＬにおいて送信されるべきデータがないが予備アップリンク容量が残されているときに、非周期的ＣＱＩが要求される。又、一実施形態では、ＵＬにおいて送信されるべきデータがなく、予備のアップリンク容量があり且つダウンリンクが完全にロードされたときに、非周期的ＣＱＩが要求される。
【００６３】
実質的に全てのリソースブロック（ＲＢ）が割り当てられた場合には、おそらくセルの負荷が大きい。一実施形態によれば、非周期的ＣＱＩの要求は、影響のあるセル内のＤＬ送信に関して負荷が大きい場合だけ行われる。というのは、このケースでは、当該ＵＴについて厳密なチャンネル状態を知る必要があり、且つ非周期的ＣＱＩが最良のクオリティを与えるからである。負荷が低い場合には、非周期的ＣＱＩ送信についてのＵＬグラントの指定（非周期的ＣＱＩの要求）を行う必要がない。
【００６４】
図６は、一実施形態によるＣＱＩレポートの使用を示す。ＤＲＸサイクル６００中に、第１のアクティブな周期は、オンデュレーション周期である。第１のアクティブな周期の第１のサブフレーム６０４Ａにおいて、ＵＴ１０８は、周期的ＣＱＩレポート６０６を送信する。周期的ＣＱＩレポートは、ワイドバンド周期的ＣＱＩレポートであるか又はサブバンド周期的ＣＱＩレポートである。時点６０４Ｂにおいて、ｅＮＢ１０２は、非周期的ＣＱＩレポートの送信のためにＵＴ１０８にグラント６０８を指定する。このグラントは、インアクティビティタイマーをトリガーし、その間に、ＵＴ１０８は、アクティブモードとなる。
【００６５】
ｅＮＢ１０２が周期的ＣＱＩレポート６０６を受け取っても、周期参照番号６０２で示された第１の幾つかのサブフレーム（４つのサブフレームと仮定する）中のスケジューリングは、ｅＮＢ１０２の内部処理のためにデフォールト又は履歴的ＣＱＩ値を使用して行われる。処理が行われた後に、受け取った周期的ＣＱＩレポート６０６を考慮してスケジューリングを行う。周期的ＣＱＩを考慮に入れる周期が参照番号６１０で示されている。
【００６６】
時点６１２において、ＵＴ１０８は、要求された非周期的ＣＱＩレポート６１４を最終的にｅＮＢ１０２へ送信する。この場合も、ｅＮＢ１０２によりある処理が要求される。それ故、若干のサブフレームの後にのみ非周期的ＣＱＩ６１４がスケジューリングプロセスに考慮される。参照番号６１６で示された時点の後に非周期的ＣＱＩがスケジューリングに考慮される。それ故、時点６１６の後にＰＵＳＣＨを経て送信されるＤＬデータ６１８は、利用できる最良のＣＱＩ、即ち非周期的ＣＱＩに注目するようにスケジュールされる。
【００６７】
ＵＴ１０８が非周期的ＣＱＩをｅＮＢ１０２へ送信すると、ＵＴ１０８は、ＵＬバッファ状態レポートを、そして容量が許す場合には電力ヘッドルームレポートも、ｅＮＢ１０８へ送信する。電力ヘッドルームレポート（ＰＨＲ）は、ＰＵＣＣＨの最大ＵＴ送信電力と実際の送信電力との間の差を示す。これは、ＭＡＣコントロール要素の一部分として送信される。
【００６８】
ｅＮＢ１０２は、更に、ダウンリンク送信スケジューリングにおいてユーザターミナルからの利用可能なＣＱＩのクオリティに基づいてＵＴのプライオリティを決め、ここで、ＣＱＩのクオリティは、ユーザターミナルから得られたＣＱＩの形式により決定される。一実施形態によれば、クオリティの高くなる順番は、次の通りである。即ち、デフォールトＣＱＩ、履歴的ＣＱＩ、周期的ワイドバンドＣＱＩ、周期的周波数選択的ＣＱＩ、及び非周期的ＣＱＩ。しかしながら、異なる形式の利用可能なＣＱＩのケースでは、順序が異なってもよい。
【００６９】
一実施形態によれば、プライオリティ決めは、時間ドメインスケジューリングにおいて行われる。それとは別に又はそれに加えて、ＵＴのプライオリティ決めが、周波数ドメインスケジューリングにおいて遂行される。
【００７０】
一実施形態によれば、ｅＮＢ１０２は、利用可能なＣＱＩ値のクオリティを考慮に入れる重み付けファクタによりＤＬ時間ドメイン及び／又は周波数ドメインスケジューリングにおいてＵＴ１０８を他のＵＴに対してプライオリティ決めする。重み付けファクタは、デフォールトＣＱＩから非周期的ＣＱＩまでクオリティレベルが高くなるたびに増加しなければならない。
【００７１】
従って、ＵＴｉのスケジューリングが、例えば、ＱｏＳ情報及びチャンネルクオリティに依存するところの基準Ｃ±（ｔ）は、次のように与えられる。
Ｃｉ（ｔ）＝ｆ（ＱｏＳ、チャンネルクオリティ（ｔ）、・・・）          （１）
但し、ｔは、来るべきサブフレームであり、そしてｆは、あるパラメータの関数を表わす項で、ＤＲＸモードで動作するＵＴに対して重み付けファクタにより次のように改善される。
ＣDRXｉ（ｔ）＝Ｃｉ（ｔ）＊ＷCQI（ＣＱＩクオリティレベル）            （２）
【００７２】
式（２）において、ＷCQIは、利用可能なＣＱＩのクオリティを考慮に入れた重み付けファクタである。一実施形態によれば、基準ＣDRXｉ（ｔ）は、ＤＬスケジューリングにおいてＵＴをプライオリティ決めするのに使用される。
【００７３】
このプライオリティ決めに基づき、一実施形態によれば、ｅＮＢ１０２は、あるユーザターミナルへのダウンリンク送信を遂行するための確率を指定し、この確率は、利用可能なチャンネルクオリティインジケータのクオリティに比例し、ユーザターミナルからの利用可能なチャンネルクオリティインジケータのクオリティが低いほど、ユーザターミナルへのダウンリンク送信を遂行するための確率が低くなる。この確率情報は、次いで、プライオリティ決めに利用される。
【００７４】
一実施形態によれば、プライオリティ決めは、ユーザターミナルの利用可能なＣＱＩがデフォールトＣＱＩであるか、履歴的ＣＱＩであるか、又は周期的ＣＱＩである場合に、ユーザターミナルからの利用可能なＣＱＩが非周期的ＣＱＩとなるまで、あるＵＴへのダウンリンク送信を制限するように導かれる。従って、この状態では、低いクオリティの利用可能なＣＱＩを所有するＵＴは、優れたクオリティのＣＱＩを所有するまで、待機しなければならず、且つ遅延されねばならない。そのようにすることで、最新のチャンネル状態を反映するＭＣＳ及びＰＲＢをそのようなＵＴに指定することができ、そしてシステムスループットを高めることができる。
【００７５】
しかしながら、一実施形態では、ＤＬ送信スケジューリングにおけるＵＴのプライオリティ決めは、ダウンリンク送信サブフレームの実質的に全てのリソースブロックが割り当てられた（負荷が高い）ときだけ行われ、さもなければ、ダウンリンク送信のためのＵＴのスケジューリングは、プライオリティ決めをせずに行われる。従って、セル内の負荷が低い場合には、プライオリティ決めが行われず、ＵＴは、レイテンシを防ぐために、ＣＱIのクオリティを無視して、直ちにスケジューリングされねばならない。
【００７６】
ｅＮＢ１０２は、更に、アップリンクサウンディング基準信号（ＳＲＳ）の送信と送信との間のインターバルをＤＲＸサイクルと整列させて、各ＤＲＸサイクルの第１のアクティブな周期内にＳＲＳが送信されるようにする。従って、ｅＮＢ１０２は、各ＤＲＸサイクルの第１の周期内にＵＴ１０８からＳＲＳを受信する。一実施形態では、ＳＲＳは、アクティブな周期の第１の利用可能なサブフレームにおいて送信される。又、ＳＲＳ情報は、スケジューリングを行うときにも使用される。これは、ＳＲＳがＵＬデータと同じＲＢに位置し、従って、ｅＮＢがＳＲＳから抽出するチャンネルクオリティ情報が正確であるので、有益である。ＳＲＳをアクティブな周期のスタートと整列させることの有益さは、ＵＬスケジューリングを最近のチャンネルクオリティ情報に依存させることである。即ち、ＬＴＥによれば、ＣＱＩは、ＵＬレポートであり、そしてＤＬスケジューリングに使用され、一方、ＳＲＳに基づくチャンネルクオリティは、ＵＬにおいて決定され、そしてＵＬスケジューリングに使用される。
【００７７】
本発明の一実施形態による装置７００の非常に一般的なアーキテクチャーが図７に示されている。図７は、本発明の一実施形態による装置７００を理解するのに必要な要素及び機能的エンティティだけを示している。他のコンポーネントは、簡単化のために省略されている。要素及び機能的エンティティの具現化は、図７に示すものと異なってもよい。図７に示す接続は、論理的な接続であり、実際の物理的接続は、異なるかもしれない。接続は、直接的又は間接的であり、コンポーネント間の機能的な関係だけである。当業者であれば、装置７００は、他の機能及び構造も含むことが明らかであろう。
【００７８】
スケジューリングを遂行するための装置７００は、プロセッサ７０２を含む。プロセッサ７０２は、コンピュータ読み取り可能な媒体に埋め込まれた適当なソフトウェアが設けられた個別のデジタル信号プロセッサ、又は特定用途向け集積回路（ＡＳＩＣ）のような個別の論理回路で具現化される。プロセッサ７０２は、通信能力を与えるためのコンピュータポートのようなインターフェイスを備えている。プロセッサ７０２は、例えば、デュアルコアプロセッサ又はマルチコアプロセッサである。装置７００は、プロセッサ７０２に接続されたメモリ７０４を備えている。しかしながら、メモリは、プロセッサ７０２に一体化されてもよく、従って、メモリ７０４は、要求されないこともある。メモリは、例えば、ＣＱＩ値を記憶するのに使用される。装置７００は、更に、トランシーバ（ＴＲＸ）７０６も備えている。ＴＲＸ７０６は、更に、エアインターフェイスへの及びエアインターフェイスからの接続を可能にする１つ以上のアンテナ７０８にも接続される。
【００７９】
プロセッサは、異なるタイミング関連機能を遂行するためのタイミング回路７１０を備えている。これらの機能は、例えば、ＤＲＸの時間巾を含むＤＲＸの特性の決定を含む。更に、ＣＱＩレポートの特性は、タイミング回路７１０において決定される。ＣＱＩの特性は、例えば、周期的ＣＱＩレポート間のインターバルを含む。更に、ここでは、ＤＲＸサイクルのスタートをＣＱＩレポートの周期と整列させることが行われる。
【００８０】
プロセッサ７０２は、ＵＴをスケジューリングするためのスケジューリング回路７１２を備えている。更に、スケジューリングを行うときには、ＴＲＸ７０６により受信された周期的及び／又は非周期的ＣＱＩを考慮に入れる。更に、受信したＳＲＳも考慮に入れられる。スケジューラ回路７１２は、ＵＴからの利用可能なＣＱＩのクオリティに基づいてＵＴのプライオリティを決める。
【００８１】
プロセッサ７０２は、図７には示されていないが、測定回路を備えている。測定回路は、例えば、サウンディング基準信号（ＳＲＳ）の測定に使用される。
【００８２】
又、図７は、通信ネットワークにおいてアップリンク送信で情報を送信するための装置も示している。この装置は、移動ステーション、例えば、ユーザターミナルである。
【００８３】
スケジューリングを行うための装置７２０は、プロセッサ７２２を含む。プロセッサ７２２は、コンピュータ読み取り可能な媒体に埋め込まれた適当なソフトウェアが設けられた個別のデジタル信号プロセッサ、又は特定用途向け集積回路（ＡＳＩＣ）のような個別の論理回路で具現化される。プロセッサ７２２は、通信能力を与えるためのコンピュータポートのようなインターフェイスを備えている。プロセッサ７２２は、例えば、デュアルコアプロセッサ又はマルチコアプロセッサである。装置７２０は、プロセッサ７２２に接続されたメモリ７２４を備えている。しかしながら、メモリは、プロセッサ７２２に一体化されてもよく、従って、メモリ７２４は、要求されないこともある。メモリは、例えば、ＣＱＩ値を記憶するのに使用される。装置７２０は、更に、トランシーバ（ＴＲＸ）７２６も備えている。ＴＲＸ７２６は、更に、エアインターフェイスへの及びエアインターフェイスからの接続を可能にする１つ以上のアンテナ７２８にも接続される。
【００８４】
プロセッサ７２２は、測定回路７３０を備えている。測定回路７３０は、ＣＱＩレポートのための測定を遂行するのに使用される。更に、無線アクセスをコントロールするための無線コントロール回路７３２、等もある。
【００８５】
装置７２０は、該装置がアクティブなモードにある第１のアクティブな周期がサイクルの始めにトリガーされるところのＤＲＸサイクルの時間巾に関連した情報と、周期的ＣＱＩレポート間のインターバルに関連した情報とを得る。この情報は、例えば、装置７００から受信される。
【００８６】
装置７２０は、更に、ＤＲＸサイクルの第１のアクティブな周期中に周期的ＣＱＩを送信し、従って、ｅＮＢのＤＲＸサイクルに対する最新のＣＱＩを与える。装置７２０は、更に、ＤＲＸサイクルの第１のアクティブな周期内に、アップリンク送信に利用でき且つＤＲＸサイクルのスタートに最も接近したサブフレーム、好ましくは、ＤＲＸサイクルの第１のサブフレームにおいて、周期的ＣＱＩを送信する。
【００８７】
更に、この装置は、第１のアクティブな周期中に非周期的ＣＱＩレポートのアップリンク送信のためのグラントを受信し、そしてその第１のアクティブな周期中に非周期的ＣＱＩを送信する。
【００８８】
更に、この装置は、アップリンクＳＲＳの送信と送信との間のインターバルに関する情報を受信し、ここで、アップリンクＳＲＳの送信と送信との間のインターバルは、ＳＲＳが各ＤＲＸサイクルの第１のアクティブな周期内に送信されるようＤＲＸサイクルと整列されるものであり、更に、この装置は、各ＤＲＸサイクルの第１の周期内にＳＲＳを送信する。
【００８９】
本出願で使用する「回路」という語は、次の全部を指す。即ち、（ａ）アナログ及び／又はデジタル回路のみでの具現化のようなハードウェアのみの回路具現化；（ｂ）回路及びソフトウェア（及び／又はファームウェア）の組み合わせ、例えば（場合に応じて）、（ｉ）プロセッサの組み合わせ、又は（ii）装置に種々の機能を遂行させるように一緒に働くデジタル信号プロセッサ、ソフトウェア、及びメモリを含むプロセッサ／ソフトウェアの部分；及び（ｃ）ソフトウェア又はファームウェアが物理的に存在しなくても動作のためにソフトウェア又はファームウェアを要求するマイクロプロセッサ又はマイクロプロセッサの一部分のような回路。
【００９０】
「回路」のこの定義は、本出願におけるこの用語の全ての使用に適用する。更に別の例として、本出願で使用する「回路」という語は、単なるプロセッサ（又はマルチプロセッサ）或いはプロセッサの一部分及びそれに付随するソフトウェア及び／又はファームウェアの具現化も網羅する。又、「回路」という語は、例えば、特定の要素に適用できる場合には、移動電話のための基本帯域集積回路又はアプリケーションプロセッサ集積回路、或いはサーバー、セルラーネットワーク装置又は別のネットワーク装置における同様の集積回路も網羅する。
【００９１】
図８は、通信ネットワークにおけるダウンリンク送信に対してユーザターミナルをスケジューリングする方法を示す。この方法は、ステップ８００で始まる。ステップ８０２において、ユーザターミナルのための不連続受信サイクルの時間巾が決定され、サイクルの始めに第１のアクティブな周期がトリガーされ、その間、ユーザターミナルは、アクティブモードにある。ステップ８０４において、周期的チャンネルクオリティインジケータレポート間のインターバルがユーザターミナルに対して決定される。ステップ８０６において、不連続受信サイクルが、周期的チャンネルクオリティインジケータレポート間のインターバルと整列され、周期的チャンネルクオリティインジケータが不連続受信サイクルの第１のアクティブな周期内に送信されるようにする。ステップ８０８は、各不連続受信サイクルの第１のアクティブな周期中に周期的チャンネルクオリティインジケータを受け取り、従って、不連続受信サイクルについて最新のチャンネルクオリティインジケータを得ることを含む。ステップ８１０は、受け取った周期的チャンネルクオリティインジケータを考慮に入れることによりダウンリンク送信のためのユーザターミナルをスケジューリングすることを含む。この方法は、ステップ８１２で終了となる。
【００９２】
図９は、通信ネットワークにおけるアップリンク送信で情報を送信するための方法を示す。この方法は、ステップ９００で始まる。ステップ９０２において、装置がアクティブなモードにある第１のアクティブな周期をサイクルの始めにトリガーするところの不連続受信サイクルの時間巾に関連した情報と、周期的チャンネルクオリティインジケータレポート間のインターバルに関連した情報とが得られる。ステップ９０４は、不連続受信サイクルの第１のアクティブな周期中に周期的チャンネルクオリティインジケータを送信し、従って、各不連続受信サイクルに対する最新のチャンネルクオリティインジケータを与える。受信端は、例えば、受信したＣＱＩを、例えば、ＤＬスケジューリングに適用する。この方法は、ステップ９０６で終了となる。
【００９３】
ここに述べる技術及び方法は、種々の手段により具現化される。例えば、これらの技術は、ハードウェア（１つ以上の装置）、ファームウェア（１つ以上の装置）、ソフトウェア（１つ以上のモジュール）、又はその組み合わせで具現化される。ハードウェアの具現化では、図７の装置は、１つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、マルチコアプロセッサ、コントローラ、マイクロコントローラ、マイクロプロセッサ、ここに述べる機能を遂行するように設計された他の電子ユニット、又はその組み合わせの中で具現化される。ファームウェア又はソフトウェアについては、ここに述べる機能を遂行する少なくとも１つのチップセット（例えば、手順、機能、等）のモジュールを通して具現化を行うことができる。ソフトウェアコードは、メモリユニットに記憶されて、プロセッサにより実行される。メモリユニットは、プロセッサ内で具現化されてもよいし又はプロセッサの外部で具現化されてもよい。後者のケースでは、この技術で知られたように、種々の手段を経てメモリユニットをプロセッサに通信接続することができる。更に、ここに述べるシステムのコンポーネントは、それに関連して述べる種々の態様の達成等を容易にするために付加的なコンポーネントにより再構成され及び／又は補足され、そして添付図面に示された正確な構成に限定されないことが当業者に明らかであろう。
【００９４】
従って、一実施形態によれば、通信ネットワークにおいてダウンリンク送信に対してユーザターミナルをスケジューリングする装置は、ユーザターミナルがアクティブなモードにある第１のアクティブな周期がサイクルの始めにトリガーされるところのユーザターミナルの不連続受信サイクルの時間巾を決定するための処理手段と、ユーザターミナルに対する周期的チャンネルクオリティインジケータレポート間のインターバルを決定するための処理手段と、不連続受信サイクルの第１のアクティブな周期内に周期的チャンネルクオリティインジケータが送信されるように、不連続受信サイクルを、周期的チャンネルクオリティインジケータレポート間のインターバルと整列させるための処理手段と、不連続受信サイクルの第１のアクティブな周期中に周期的チャンネルクオリティインジケータを受信し、従って、各不連続受信サイクルに対する最新のチャンネルクオリティインジケータを得るためのインターフェイス手段と、その受信した周期的チャンネルクオリティインジケータを考慮に入れることでダウンリンク送信に対してユーザターミナルをスケジューリングするための処理手段と、を備えている。
【００９５】
従って、一実施形態によれば、通信ネットワークにおいてアップリンク送信で情報を送信する装置は、装置がアクティブなモードにある第１のアクティブな周期がサイクルの始めにトリガーされるところの不連続受信サイクルの時間巾に関連した情報、及び周期的チャンネルクオリティインジケータレポート間のインターバルに関連した情報を得るための処理手段であって、不連続受信サイクルの第１のアクティブな周期内に周期的チャンネルクオリティインジケータを送信するように、不連続受信サイクルを、周期的チャンネルクオリティインジケータレポート間のインターバルと整列させるような処理手段と、不連続受信サイクルの第１のアクティブな周期中に周期的チャンネルクオリティインジケータを送信し、従って、各不連続受信サイクルに対する最新のチャンネルクオリティインジケータを与えるためのインターフェイス手段と、を備えている。本発明の実施形態は、それら実施形態に基づくコンピュータプログラムとして具現化される。具現化されるコンピュータプログラムは、図１ないし９に関連したタスクを実行するが、それに限定されない。
【００９６】
コンピュータプログラムは、コンピュータ又はプロセッサにより読み取り可能なコンピュータプログラム配布媒体に記憶される。コンピュータプログラム媒体は、例えば、電気、磁気、光学、赤外線、又は半導体システム、装置又は送信媒体であるが、それらに限定されない。コンピュータプログラム媒体は、次の媒体のうちの少なくとも１つを含む。即ち、コンピュータ読み取り可能な媒体、プログラム記憶媒体、レコード媒体、コンピュータ読み取り可能なメモリ、ランダムアクセスメモリ、消去可能なプログラマブルリードオンリメモリ、コンピュータ読み取り可能なソフトウェア配布パッケージ、コンピュータ読み取り可能な信号、コンピュータ読み取り可能なテレコミュニケーション信号、コンピュータ読み取り可能な印刷物、及びコンピュータ読み取り可能な圧縮ソフトウェアパッケージ。
【００９７】
以上、添付図面を参照して本発明を一例として述べたが、本発明は、それに限定されるものではなく、請求の範囲内で多数の仕方で変更できることが明らかである。更に、必要なことではないが、上述した実施形態を種々の仕方で他の実施形態と組み合わせてもよいことが当業者に明らかであろう。
【符号の説明】
【００９８】
１００：セル
１０２：ベースステーション（ｅＮＢ）
１０８：ユーザターミナル（ＵＴ）
１１０：進化型パケットコア（ＥＰＣ）
７００：装置
７０２：プロセッサ
７０４：メモリ
７０６：トランシーバ（ＴＲＸ）
７０８：アンテナ
７１０：タイミング回路
７２０：装置
７２２：プロセッサ
７２４：メモリ
７３０：測定回路
７３２：無線コントロール回路
【図１】
2013537733.tif 000003
【図２】
2013537733.tif 000004
【図３】
2013537733.tif 000005
【図４】
2013537733.tif 000006
【図５Ａ】
2013537733.tif 000007
【図５Ｂ】
2013537733.tif 000008
【図６】
2013537733.tif 000009
【図７】
2013537733.tif 000010
【図８】
2013537733.tif 000011
【図９】
2013537733.tif 000012
【国際調査報告】
2013537733.tif 000013
2013537733.tif 000014
2013537733.tif 000015
2013537733.tif 000016